(57)【特許請求の範囲】
【請求項１】
フェンスを水中に立設して特定領域を部分的に包囲することにより該領域内の水の汚濁を防止する装置であって、そのフェンスが立設の状態で水中における上下方向の移動を可能に構成される汚濁防止装置において、上辺にはフロートが付設され、側辺には、鉛直方向に立設静置されたスリーブに沿う移動を可能にそのスリーブの鉛直方向に沿って設けられている縦みぞを貫通してスリーブ内に遊嵌されたスライダーと繋がっているフェンス本体と、フェンス本体によって仕切られた領域内の水と領域外の水とが前記スリーブの内周面と前記スライダーの外周面との間の環状の隙間を通じて行われる流通の方向を一方向に制限するために、前記スリーブの鉛直方向に沿って設けられている縦みぞがフェンス本体によって仕切られてできた二つのみぞの一方のみぞを薄くて柔軟性のあるシート状のシール材によって開閉自在に被覆して、前記隙間に向かって流入しようとする特定方向の水の圧力によって前記一方のみぞが自動的に封鎖される手段とをそなえ、
前記フロートが付設される上辺部と、上辺部の下方に連接して水中に垂下され下端に重錘が付設される幕状のスカート部によって前記フェンス本体を構成し、
前記上辺部に繋がるスライダーと前記側辺に繋がれて相互に鉛直方向の間隔を隔てて配置される複数個の小形スライダーとによって前記スライダーを構成し、
前記上辺部のそなえる前記フロートが浮力を失って前記スカート部の底辺が水底に達する位置まで前記フェンス本体が沈下したとき、前記小形スライダー間の間隔が狭まり、前記スカート部と前記シール材とが折り畳まれて水中に沈下し前記フェンス本体の全高が低くなる構成としたことを特徴とする水中の汚濁防止装置。
【発明の詳細な説明】
【０００１】
【発明の属する技術分野】
この発明は、フェンスを水中に立設して特定領域を部分的に包囲することにより該領域内の水の汚濁を防止する装置であって、特にそのフェンスを立設の状態で水中における上下方向の移動を可能に構成することにより、いわゆる固定式フェンスのみならず、移動式フェンスにも適用が可能の浮沈式汚濁防止装置に関するものである。
【０００２】
【従来の技術】
従来の汚濁防止装置の一例として、図６〜図８を用いてその概要を説明する。図は従来の浮沈式汚濁防止装置の例で、同図では特定領域の水域を包囲したフェンスの一方の端部付近が示されている。図６は装置がフロートにより水面まで浮上して、そのフェンスの底面が該水域の水底面より距離ａだけ離れた状態の側面図、図７(ａ)はその平面図、図７(ｂ)はその拡大図であり、図８は装置がフロートによりまたは水位の低下によって沈下して、装置全体が該水域の水底面上に重なり合って横たわった状態の側面図である。図において、フェンス本体１は上辺部２とスカート部３とよりなり、上辺部２にはフロート４およびフロート５が付設され、これによってフェンス本体１に対する浮力の調節操作が行われる。スカート部３の下端には重錘１０が付設されている。
【０００３】
６は、水辺の岸壁に対して鉛直方向に立設して固定された円管状のスリーブである。スリーブ６には鉛直方向に沿って縦みぞ７が刻設されている。フェンス本体１の側辺には丸棒状のスライダー８が固着されている。スライダー８は、スリーブ６との間に円環状の僅かの隙間９を隔ててスリーブ６内に包容されていて、そのためスライダー８はフェンス本体１の鉛直方向の移動とともにスリーブ６内を鉛直方向に移動することができる。このように構成されたフェンス本体１を用いることにより、従来は内外の水域を隔離した状態のもとにフェンスを上下に移動することが可能とされていた。
【０００４】
【発明が解決しようとする課題】
前記従来の汚濁防止装置では、つぎのような不具合な点がある。
【０００５】
１）フェンス本体１によって内外両水域は一応分離された状態に置かれていると言うことができる。しかし、厳密には両者はスリーブ６とスライダー８との間の隙間９を通じて相互に連通の状態にあり、完全に汚濁防止が行われる状態であるとは必ずしも称し得る状態ではない。
【０００６】
２）昨今の汚濁防止装置に対する要望事項として、フェンスの有効高さの増大が益々要求される傾向が強いことが挙げられる。しかもこのことは、単に有効高さの増大のみで片付く問題ではなく、フェンスの全高は高くできるのと同時に、必要に応じて低くすることも可能という互いに相反する機能の要求が必ず付随するのが常である。その理由は、例えば資材運搬船をフェンスの上を越えて領域内へ導入する必要が生じたような場合、あるいは水深のきわめて浅い水域で同一の汚濁防止装置を用いて作業を行いたい場合などに適用可能であることが要求されるが、従来装置ではこのような要求に応じることは不可能である。
【０００７】
図８は、図６ならびに図７に示す従来装置を、何らかの必要があってこれを水底に着地するまで沈下し、さらになおこれの全高を縮めるために、フロートの空気を抜いてフェンスを水底上に畳み込もうとした図であるが、フェンス本体１は側面に付設されるスライダー８（図示しない）から遠い部分１ａでは、図に示されるようにフェンスが折り畳まれて低い姿勢になるが、スライダー８の部分ではスライダー８が突っ張ってそのためスライダー８の全長よりも低い姿勢にすることができない。このような不具合点に対し、対応できる汚濁防止装置の出現が従来から待ち望まれていた。
【０００８】
この発明は、前記のような従来技術の現状にかんがみてなされたもので、極めて簡単な構成のもとに内外両水域を完全に汚濁の生じない状態のもとに保持することができ、しかも内外の水域を隔離した状態のままで装置を容易に鉛直方向に移動することができて、そのため汚濁防止作業の効率を格段に上げることができる汚濁防止装置を提供することを目的としている。
【０００９】
この発明の他の目的は、装置における汚濁防止のための操作が、水流を利用して半自動式に行われる水中の汚濁防止装置を提供することにある。
【００１０】
この発明のさらに他の目的は、フェンスの有効高さを増大するという要求を満足するとともに、他方フェンスの全高を低く抑えることについてもきわめて簡単容易にその要求を十分に満たすことができ、もって使い勝手が優れて効率のよい汚濁防止装置を提供することにある。
【００１１】
この発明のさらに他の目的は、水中の汚濁防止装置において、いわゆる固定式フェンスに対してのみならず、移動式フェンスに対しても広く適用が可能の汚濁防止装置を提供することにある。
【００１２】
【課題を解決するための手段】
前記の課題を解決するための手段として、この発明の水中の汚濁防止装置においては、フェンスを水中に立設して特定領域を部分的に包囲することにより該領域内の水の汚濁を防止する装置であって、そのフェンスが立設の状態で水中における上下方向の移動を可能に構成される汚濁防止装置において、上辺にはフロートが付設され、側辺には、鉛直方向に立設静置されたスリーブに沿う移動を可能にそのスリーブの鉛直方向に沿って設けられている縦みぞを貫通してスリーブ内に遊嵌されたスライダーと繋がっているフェンス本体と、フェンス本体によって仕切られた領域内の水と領域外の水とが前記スリーブの内周面と前記スライダーの外周面との間の環状の隙間を通じて行われる流通の方向を一方向に制限するために、前記スリーブの鉛直方向に沿って設けられている縦みぞがフェンス本体によって仕切られてできた二つのみぞの一方のみぞを薄くて柔軟性のあるシート状の弾性薄板よりなるシール材によって開閉自在に被覆して、前記隙間に向かって流入しようとする特定方向の水の圧力によって前記一方のみぞが自動的に封鎖される手段とをそなえ、前記フロートが付設される上辺部と、上辺部の下方に連接して水中に垂下され下端に重錘が付設される幕状のスカート部によって前記フェンス本体を構成し、前記上辺部に繋がるスライダーと前記側辺に繋がれて相互に鉛直方向の間隔を隔てて配置される複数個の小形スライダーとによって前記スライダーを構成し、前記上辺部のそなえる前記フロートが浮力を失って前記スカート部の底辺が水底に達する位置まで前記フェンス本体が沈下したとき、前記小形スライダー間の間隔が狭まり、前記スカート部と前記シール材とが折り畳まれて水中に沈下し前記フェンス本体の全高が低くなる構成としたことを特徴としている。
【００１３】
水中の汚濁防止装置をこのように構成し、フェンスの上辺にはフロートを付設し、側辺にはスライダーを付設してそのスライダーを鉛直に立設したスリーブの縦みぞを介してスリーブ内で上下方向の移動を可能に装置したので、フェンスは水中に立設した状態のままで自由に鉛直方向の移動を行うことが可能である。また、フェンス本体によって仕切られた領域内の水と領域外の水とは、スリーブとスライダーとの間に構成される環状の隙間を通じて流通が可能である。しかも領域外の水が領域内の水の方へ流入しようとすると、フェンス本体によって仕切られてできた二つのみぞのうち、領域外のみぞを開閉自在に被覆した弾性薄板よりなるシール材が流入しようとする水の圧力によってみぞを被覆する方向に押し付けられ、みぞが自動的に封鎖されるので、領域外の水が領域内へ進入する方向の水の流れ込みが防止される。前記水の圧力がシール材の上に作用しないとき、つまり領域外の水が領域内へ流れ込む移動を起こさないときは、シール材は自身のそなえる弾性によって前記みぞを解放する中立位置に自動的に復帰する。
【００１４】
前記フェンス本体は、上方に位置してフロートが付設される上辺部と、上辺部の下方に連接して水中に垂下され下端に重錘が付設される幕状のスカート部とによって構成し、フェンス本体の側辺に繋がるスライダーは、上辺部に繋がる一個の比較的長尺のスライダーと、スカート部に繋がる複数個の小形スライダーとによって構成する。そして複数個のスライダーは、前記の上辺部に繋がる一個の比較的長尺のスライダーとこれに隣接する最上部の小形スライダーとの間、ならびにこれに続く複数の小形スライダーの相互間に鉛直方向の間隔をそれぞれ隔てて一列に並んだ小形スライダーの集合体として構成しておく。このようにすると、前記フェンス本体が前記フロートによって水中に立設浮遊しているときは、下方の前記スカート部は下端に設けた前記重錘の作用ならびに自重によって上下方向に引き伸ばされ、前記スカート部の小形スライダーは相互間の所定の間隔を保持して前記フェンスの有効高さは所定の最大限の高さを発揮することができる。また、前記フロートが浮力を失い、あるいは水深が不足して前記スカート部の底辺が水底に達する位置まで前記フェンス本体が沈下したときは、前記小形スライダーの相互間の上下の間隔は重力作用で狭まって、前記スカート部の高さは、同スカート部を構成する材質の柔軟度に応じ、前記スカート部の前記小形スライダーの合計高さを限度とする寸法に向かって短縮されることが可能となり、前記スカート部と前記シール材とが折り畳まれて水中に沈下し、フェンス本体の全高は著しく低くなる。
【００１５】
【発明の実施の形態】
以下、この発明の実施の形態を図面によって詳細に説明する。
【００１６】
図１はこの発明装置の一実施例によって特定領域の水域を包囲した状態における装置の一方の端部付近を示す斜視図、図２はその平面図、図３(ａ)は図２の要部を拡大して示す平面図、同(ｂ)は同(ａ)の異なる態様における平面図であり、図４は発明装置が水中に立設されたときの一方の端部付近の側面図である。
【００１７】
図１〜図４において、フェンス本体１は上辺部２とスカート部３とよりなり、上辺部２にはフロート４およびフロート５が付設され、これによってフェンス本体１に対する浮力の調節操作が行われる。スカート部３は柔軟性のあるシート状の合成ゴムなどによって作られ、その下端には重錘１０が付設されている。
【００１８】
６は、水辺の岸壁に対して鉛直方向に立設して固定された円管状のスリーブである。スリーブ６には鉛直方向に沿って縦みぞ７が刻設されている。フエンス本体１のうち上辺部２の側辺には丸棒状の一個のスライダー８ａが固着され、スカート部３の側辺には短片状の複数個の小形スライダー８ｂが固着されている。スライダー８ａ及び小形スライダー８ｂは、いずれもスリーブ６との間に円環状の僅かの隙間９を隔ててスリーブ６内に包容されていて、そのため各スライダーはフェンス本体１の鉛直方向の移動とともにスリーブ６内を鉛直方向に移動することができる。
【００１９】
１１は弾性の薄板よりなるシール材で、ほぼフェンス本体１の側辺の全長に亙る長さをそなえ、フェンス本体１によって仕切られた領域内の水と領域外の水とが隙間９を通じて行われる流通の方向を一方向に制限するために、縦みぞ７がフェンス本体１によって仕切られてできた二つのみぞのうちその一方のみぞ１２を、薄くて柔軟性のあるシール材１１によって開閉自在に被覆し、隙間９に向かって流入しようとする水の圧力によってみぞ１２が自動的に封鎖される手段を構成している。これにより、領域外の水が領域内へ進入する方向の水の流れ込みが防止される。前記水の圧力がシール材の上に作用しないとき、つまり領域外の水が領域内へ流れ込む移動を起こさないときは、シール材１１は自身のそなえる弾性によって前記みぞを解放する中立位置に自動的に復帰する。このように構成されたフェンス本体１を用いることにより、内外の水域を互いに隔離した状態のままでフェンスを上下方向に移動することが可能である。
【００２０】
つぎに、以上のように構成される本発明の汚濁防止装置の全高を低くする作用について説明する。装置の全高を低くするためには、フロート４およびフロート５に通じる空気管系の圧力を放出する。するとフェンス本体１の上辺部２は浮力を失い、フェンス本体１は側辺に設けたスライダー８ａならびにスライダー８ｂがスリーブ６に誘導されて下降するのに従い次第に下降する。下降が続くと図４に示した水底からフェンス下端までの距離ｄは次第に減少してスカート部３の下端が水底に接地し、さらに下降すると、スリーブ６内のスライダー８ａならびにスライダー８ｂが順番に縦方向に重なった状態で各スライダー間の上下の間隔ｗは減少を続ける。そして遂には図５に示すように、各スライダー間の上下の間隔ｗはすべて無くなって、汚濁防止装置の全体の高さＨは、Ｈ＝（スライダー８ａの高さ）＋ｎ×（スライダー８ｂの高さ）
但し、ｎ＝スライダー８ｂの数となる。また、スカート部３ならびにみぞ１２を被覆するシール材１１は、いずれも薄くて柔軟性のあるシート状の部材で構成されているため、この部分はすべて図５に示すように、スライダーの合計高さＨよりも低い高さの範囲に折り畳まれて水中に沈下することになり、汚濁防止装置の全体の高さを最低限の範囲に減少することができる。
【００２１】
【発明の効果】
この発明にかかる水中の汚濁防止装置は以上のように構成されるので、つぎのようなすぐれた効果がある。
【００２２】
即ち、極めて簡単な構成のもとに内外両水域を完全に汚濁の生じない遮断状態のもとに保持することができ、しかも内外の水域を隔離した状態のままで装置を容易に鉛直方向に移動することができるので、いわゆる固定式フェンスに対してのみならず、移動式フェンスに対しても広く適用が可能となり、汚濁防止作業の効率を格段に引き上げることができるとともに、用途の拡張が実現できる。
【００２３】
また、装置における汚濁防止のための操作が、水流を利用して半自動式に行われるので、構成の単純化が図られ、作業能率の向上に資する。
【００２４】
さらに、フェンスの有効高さを増大するという要求を簡単容易に満足させるとともに、他方フェンスの全高を低く抑えることについても容易にその要求を満たすことができ、もって使い勝手が優れて効率のよい汚濁防止装置を提供することができる。
【００２５】
しかも、フェンス本体がフロートによって水中に立設浮遊しているときは、下方のスカート部は下端に設けた重錘の作用ならびに自重によって上下方向に引き伸ばされ、スカート部の小形スライダーは相互間の所定の間隔を保持してフェンスの有効高さは所定の最大限の高さを発揮することができる。
【００２６】
また、フロートが浮力を失い、あるいは水深が不足してスカート部の底辺が水底に達する位置までフェンス本体が沈下したときは、それ以後は小形スライダーの相互間の上下の間隔が重力作用で狭まって、スカート部の高さは、スカート部ならびにみぞを被覆するシール材をいずれも薄くて柔軟性のあるシート状の部材で構成していることにより、スライダーの合計高さよりも低い高さの範囲に折り畳まれて水中に沈下することになり、汚濁防止装置の全高を低くする作用の目標限界は、スカート部の小形スライダーの合計高さを限度とする寸法に向かって短縮されるので、従来の構造方式の場合と比べて装置の全高は著しく低くなって、例えば資材運搬船をフェンスの上を越えて領域内へ導入する必要が生じた場合、あるいは水深のきわめて浅い水域で同一の汚濁防止装置を用いて作業を行いたい場合などにきわめて有利に機能する。
【図面の簡単な説明】
【図１】この発明装置の一実施例によって特定領域の水域を包囲した状態における装置の一方の端部付近を示す斜視図である。
【図２】図１の発明装置の平面図である。
【図３】図３(ａ)は図２の要部を拡大して示す平面図、同(ｂ)は同(ａ)の異なる態様における平面図である。
【図４】この発明装置が水中に立設されたときの一方の端部付近の側面図である。
【図５】図４の発明装置が水底に沈下した状態の側面図である。
【図６】従来装置が水面まで浮上してフェンスの底面が該水域の水底面より距離ａだけ離れた状態の側面図である。
【図７】図７(ａ)は図６の平面図、図７(ｂ)はその拡大図である。
【図８】図６の従来装置が水底に沈下して、装置全体が該水域の水底面上に重なり合って横たわった状態の側面図である。
【符号の説明】
１    フェンス本体
２    上辺部
３    スカート部
４，５    フロート
６    スリーブ
７    縦みぞ
８，８ａ，８ｂ    スライダー
９    隙間
１０    重錘
１１    シール材
１２    みぞ
【図１】
0003993713.tif 000002
【図２】
0003993713.tif 000003
【図３】
0003993713.tif 000004
【図４】
0003993713.tif 000005
【図５】
0003993713.tif 000006
【図６】
0003993713.tif 000007
【図７】
0003993713.tif 000008
【図８】
0003993713.tif 000009